(57)【要約】      （修正有）【課題】直飲ボトルと称されているコップ形状の金属製真空二重壁容器体１と、容器体開口部に装着する断熱栓体２とで構成されている携帯用保温飲料容器において、断熱栓体に断熱機能の他の機能を付与して、利便性を高める。【解決手段】手で保持して直飲可能な容量及び大きさのコップ様の金属製真空二重壁容器体１と、容器体開口部に脱着自在に装着される断熱栓体２とで構成され、断熱栓体の上方部に適宜大きさの収納凹部Ａを形成すると共に、前記収納凹部の開口部に開閉自在とした蓋体２４３を設けてなる。【選択図】図４
0003115860.tif 000002
【実用新案登録請求の範囲】
【請求項１】
手で保持して直飲可能な容量及び大きさのコップ様の金属製真空二重壁容器体と、容器体開口部に脱着自在に装着される断熱栓体とで構成される携帯用保温飲料容器であって、断熱栓体の上方部に適宜大きさの収納凹部を形成すると共に、前記収納凹部の開口部に開閉自在とした蓋体を設けてなることを特徴とする携帯用保温飲料容器。
【請求項２】
収納凹部が栓体上面に開口してなる請求項１記載の携帯用保温飲料容器。
【請求項３】
収納凹部の上面部分が透明体で形成してなる請求項１又は２記載の携帯用保温飲料容器。
【請求項４】
断熱栓体が、底面部と上方が径大の段差周面部とを備えて、容器体の開口部に装着される構造の下方部材と、下方部材の段差位置に装着されるパッキン体と、下方部材内に充填される断熱材と、収納凹部と収納凹部の蓋体とを備え、下方部材の上方周面部に連結される上方部材で構成してなる請求項１乃至３記載の何れかの携帯用保温飲料容器。
【請求項５】
上方部材が、底面体と、外周体と、上部の蓋体で構成され、底面体の外周適宜位置に係止部を上方に突設し、外周体と底面体とを連結して収納凹部を形成した際に外周体の内方に前記係止部が納まり、且つ係止部の上端突起が内方に突出すると共に外周方向に移動可能となる凹部を外周体に形成すると共に、外周体の上縁部適宜箇所に基部を枢結して煽り開閉自在に設けた蓋体の前記係止部対応位置に、係止部の突起が係止される係止凹部を設けてなる請求項４記載の携帯用保温飲料容器。
【考案の詳細な説明】
【技術分野】
【０００１】
本考案は、直接容器に口を付けて飲用するコップ形状の携帯用保温飲料容器に関するものである。
【背景技術】
【０００２】
飲料を保温状態で携帯する器具として種々の断熱容器が知られている。特にコップの様に直接口を付けて飲用する所謂直飲ボトルと称されている飲料容器は、コップ形状の金属製真空二重壁容器体と、容器体開口部に螺合装着する断熱栓体とで構成されている。
【０００３】
前記の断熱栓体は、容器体の開口部にある程度の深さまで螺合される大きさで、内部に断熱材を充填したり（特許文献１）、中空体として（特許文献２，３）断熱機能を備えさせているものである。
【０００４】
【特許文献１】実開平５−１４３５号公報。
【特許文献２】特開平９−１４０６００号公報。
【特許文献３】特開２００２−１２５８６８号公報。
【考案の開示】
【考案が解決しようとする課題】
【０００５】
前記した特許文献１，２の直飲ボトルの栓体は、断熱機能のみを目的とした構成で、他の機能を備えない利便性に欠ける構成である。尚特許文献３に記載の栓体は、釣手を設けることで利便性を高めている。
【０００６】
そこで本考案は、断熱栓体に断熱機能の他の機能を付与して、利便性を高めた携帯用保温飲料容器を提案したものである。
【課題を解決するための手段】
【０００７】
本考案にかかる携帯用保温飲料容器は、手で保持して直飲可能な容量及び大きさのコップ様の金属製真空二重壁容器体と、容器体開口部に脱着自在に装着される断熱栓体とで構成される携帯用保温飲料容器であって、断熱栓体の上方部に適宜大きさの収納凹部を形成すると共に、前記収納凹部の開口部に開閉自在とした蓋体を設けてなることを特徴とするものである。
【０００８】
而して従前の携帯用保温飲料容器と同様に容器体に飲料を収納し、栓体を装着して携帯し、喫飲時に栓体を外し、容器体に直接唇を付けて容器体内の飲料を喫飲するものである。特に本考案は、栓体に蓋体で開閉される収納凹部を設けているものであるから、種々の小物品の収納が可能であり、例えばサプリメントや常用薬などの錠剤の収納や、茶葉などのパックの収納等の携帯飲料の喫飲に関る物品の収納携帯ができるものである。
【０００９】
また特に、収納凹部が栓体上面部に開口してなる構成（請求項２）を採用することで、
収納物の収納並びに取り出しが容易になされる。
【００１０】
また収納凹部の上面部分が透明体で形成してなる構成（請求項３）を採用することで、収納物が上方から視認することができ、前記の飲料に直接関係の無い物品例えばキャラクターフィギア、写真等の収納によって、独自装飾性を付与することができる。
【考案の効果】
【００１１】
本発明の上記の通り直飲タイプの携帯用保温飲料容器の栓体に小物品の収納機能を具備させたもので（請求項１）、飲料の保温携帯と同時に飲料に関る物品（薬、茶葉等）を一緒に携帯できることになり、利便性が高められたものである。
【００１２】
また特に収納凹部の上面部分を透明（半透明）に形成することで、収納物の外部視認を可能とし、独自装飾性を付与することができたものである。
【考案を実施するための最良の形態】
【００１３】
次に本考案の実施の形態について説明する。実施形態に示した携帯用保温飲料容器は、容器体１と断熱栓体２で構成される。
【００１４】
容器体１は、基本的に従前の直飲タイプの容器と同様に、手で保持して直飲可能な容量及び大きさのコップ様で、薄金属板（一般的にはステンレス薄板）で形成した内外容器１１，１２と、内外容器１１，１２の間に介在させたアルミ箔１３とで構成され、内外容器１１,１２の上縁部を溶着すると共に、両容器間の空間を真空状態（減圧状態）として断熱機能を付与したものである。また特に開口部の内周面には、断熱栓体２を装着する螺合条１４を形成し、更に前記に螺合条１４の上方にパッキン受け部１５を設けてなるものである。
【００１５】
断熱栓体２は、下方部材２１と、パッキン体２２と、断熱材２３と、上方部材２４とで構成される。
【００１６】
下方部材２１は、底面部２１１と、上方が径大の段差とした上方周面部２１２と下方周面部２１３とを備えてなり、下方周面部２１３は、容器体１の開口部に螺合装着できるように外周部分に螺条を形成してなるものである。
【００１７】
パッキン体２２は、下方部材２１の下方周面部２１３における上方周面部２１２との境界（段差部）に装着してなり、断熱材２３は、発泡樹脂体で形成され、下方周面部２１３の内方全体に充填されるものである。
【００１８】
上方部材２４は、底面体２４１と、外周体２４２と、上部の蓋体２４３とで構成される。底面体２４１は扁平皿形状（外周が僅かに立ち上っている）で、外周体２４２の内周部下方に連結してなるもので、外周適宜位置に、上方内面側に突起を設けた係止部２４１ａを突設してなる。
【００１９】
外周体２４２は、断面逆Ｕ字状で、内周部は前記の通り底面体２４１の立ち上がり周面と連結し、外周部は、下方部材２１の上方周面部２１２の外周を覆うようにして下方部材と連結してなるもので、特に内周部には、前記係止部２４１ａが納まり、且つ係止部２４１ａの上端突起が内方に突出すると共に外周方向に移動可能となる凹部２４２ａを設けてなる。
【００２０】
蓋体２４３は、外周体２４２の内周部上方に嵌合する形状で、基部２４３ａを外周体２４２の上縁部適宜箇所に枢結して煽り開閉自在に設けると共に、前記係止部２４１ａと対応する位置に、係止部２４１ａの突起が係止される係止凹部２４３ｂを設けてなる。
【００２１】
尚蓋体２４３には開閉操作に便利なように操作摘み２４３ｃを設けると共に、操作摘みの操作が容易になしえるように外周体２４２の当該箇所を操作用凹部２４２ｂに形成してなる。
【００２２】
而して容器体１に飲料を収納し、栓体を装着して携帯し、喫飲時に栓体を外し、容器体に直接唇を付けて容器体内の飲料を喫飲するもので、特に蓋体２４３で閉塞される底面体２４１と外周体２４２で形成される収納凹部Ａに、薬、茶葉のパック等を収納して携帯し、喫飲時に蓋体２４３を開被して、当該収納物を使用するものである。
【００２３】
また特に蓋体２４３を透明体（半透明体）で形成すると、前記の喫飲時に使用する収納物の他に、キャラクターフィギア、写真等を収納すると、自分だけのオリジナルボトルとしても楽しむことができる。
【００２４】
尚本考案は、前記実施形態に限定されるものではなく、例えば蓋体は煽り開閉構造の他に、螺合構造、嵌合構造、スライド開閉構造としても良い。更に収納凹部は、栓体の上面に開口部を形成しなくとも、外周面に開口部を設けた収納凹部としても良いし、この収納凹部の上面部を透明に形成しても良い。
【００２５】
また容器体と栓体の構成についても前記実施形態に限定されるものではなく、栓体の容器体への装着を、容器体に嵌合圧入装着する構造でも、また容器体開口部外周に螺合する構造でも良い。
【図面の簡単な説明】
【００２６】
【図１】本考案の実施形態の全体斜視図。
【図２】同蓋体を開被した状態の全体斜視図。
【図３】同全体の断面図。
【図４】同要部断面図。
【図５】同栓体の分解斜視図。
【図６】同係止部の説明図。
【符号の説明】
【００２７】
１          容器体
１１        内容器
１２        外容器
１３        アルミ箔
１４        螺合条
１５        パッキン受け部
２          栓体
２１        下方部材
２１１      底面部
２１２      上方周面部
２１３      下方周面部
２２        パッキン体
２３        断熱材
２４        上方部材
２４１      底面体
２４１ａ    係止部
２４２      外周体
２４２ａ    凹部
２４２ｂ    操作用凹部
２４３      蓋体
２４３ａ    基部
２４３ｂ    係止凹部
２４３ｃ    操作摘み
【図１】
0003115860.tif 000003
【図２】
0003115860.tif 000004
【図３】
0003115860.tif 000005
【図４】
0003115860.tif 000006
【図５】
0003115860.tif 000007
【図６】
0003115860.tif 000008